(57)【要約】      （修正有）【課題】コストあるいはスペースが増加するデメリットを避けつつ、ゴーストを直接低減し、あるいは除去することができるようにする。【解決手段】原稿のアナログ画像データを、ＣＣＤ９を介して取得し、アナログ信号処理回路部２０によって処理されたアナログ画像データをディジタル画像データに変換するＡ／Ｄ変換回路部２１と、Ａ／Ｄ変換回路部２１で変換されたディジタル画像データに対してゴースト補正処理を行うゴースト補正処理回路ＧＡＣと、を有し、前記ゴースト補正処理回路ＡＧＣは、ディジタル画像データが局所的に高いピークを持つデータか否かを判定するピーク検出部２４と、ｓｉｎｃ関数による画像補正信号を生成する信号生成部２５と、信号生成部２５によって生成したｓｉｎｃ関数により、ピークを持つと判定された箇所を含む一定のデータ領域に対して補正をかける画像補正部２６とを備えた。【選択図】図７
2010178187.tif 000002
【特許請求の範囲】
【請求項１】
走査光学系により露光走査した原稿のアナログ画像データを、光電変換素子を介して取得し、このアナログ画像データにアナログ的な処理を施すアナログ信号処理回路部と、
各種タイミング信号を生成するタイミング信号生成回路と、
前記アナログ信号処理回路部によって処理されたアナログ画像データをディジタル画像データに変換するＡ／Ｄ変換回路部と、
前記Ａ／Ｄ変換回路部で変換されたディジタル画像データに対して所定の画像処理を行う画像処理手段と、
を有する画像読取装置であって、
前記画像処理手段は、
ディジタル画像データが局所的に高いピークを持つデータか否かを判定するピーク検出手段と、
ｓｉｎｃ関数（（ｓｉｎ  ｘ）／ｘ）による画像補正信号を生成する信号生成手段と、
前記信号生成手段によって生成したｓｉｎｃ関数により、ピークを持つと判定された箇所を含む一定のデータ領域に対して補正をかける画像補正手段と、
を備えていることを特徴とする画像読取装置。
【請求項２】
請求項１記載の画像読取装置であって、
前記ピーク検出手段は、予め設定された領域の前記データの第１ピークと第２ピークのピーク値の差が予め設定された値以上の場合、局所的に高いピークを持つデータであると判定すること
を特徴とする画像読取装置。
【請求項３】
請求項１記載の画像読取装置であって
前記ピーク検出手段は、予め設定された領域の前記データの平均値とその周辺のデータの平均値の差が予め設定された値以上の場合、局所的に高いピークを持つデータであると判定すること
を特徴とする画像読取装置。
【請求項４】
請求項１記載の画像読取装置であって、
前記信号生成手段は、一定の振幅、周期、位相を持つｓｉｎｃ関数を生成すること
を特徴とする画像読取装置。
【請求項５】
請求項４記載の画像処理装置であって、
前記振幅、周期、位相のうち少なくとも１つを任意に設定する設定手段を有し、
前記信号生成手段は、前記設定手段の設定に基づいてｓｉｎｃ関数を生成すること
を特徴とする画像読取装置。
【請求項６】
請求項１ないし５のいずれか１項に記載の画像読取装置であって、
前記信号生成手段は、ｓｉｎｃ関数を生成する際、任意の画素位置から生成を開始すること
を特徴とする画像読取装置。
【請求項７】
請求項１ないし６のいずれか１項に記載の画像読取装置であって、
前記画像補正手段は、前記ピーク検出手段によって検出した局所的なピークデータに対して前記ｓｉｎｃ関数による重み付け処理を行うこと
を特徴とする画像読取装置。
【請求項８】
請求項１ないし６のいずれか１項に記載の画像読取装置であって、
前記画像補正手段は、前記ピーク検出手段によって検出した局所的なピークデータに対して前記ｓｉｎｃ関数との差分処理を行うこと
を特徴とする画像読取装置。
【請求項９】
請求項１ないし６のいずれか１項に記載の画像読取装置であって、
前記画像補正手段は、前記ピーク検出手段によって検出した局所的なピークデータに対して前記ｓｉｎｃ関数との平均化処理を行うこと
を特徴とする画像読取装置。
【請求項１０】
請求項７ないし９のいずれか１項に記載の画像読取装置であって、
前記画像補正手段は、前記ピーク検出手段によって検出した局所的なピークデータの中心位置に対してｓｉｎｃ関数のピークを割り当てて処理を行うこと
を特徴とする画像読取装置。
【請求項１１】
請求項７ないし９のいずれか１項に記載の画像読取装置であって、
前記画像補正手段は、前記ピーク検出手段によって検出した局所的なピークデータの最大値の位置に対してｓｉｎｃ関数のピークを割り当てて処理を行うこと
を特徴とする画像読取装置。
【請求項１２】
請求項１ないし１１のいずれか１項に記載の画像読取装置であって、
前記画像処理手段は、前記信号生成手段において生成するｓｉｎｃ関数の振幅、周期、位相情報を保持する係数記憶手段をさらに備えていること
を特徴とする画像読取装置。
【請求項１３】
請求項１ないし１２のいずれか１項に記載の画像読取装置であって、
前記画像処理手段は、前記信号生成手段において生成するｓｉｎｃ関数の振幅、周期、位相を算出する係数生成手段をさらに備えていること
を特徴とする画像読取装置。
【請求項１４】
請求項１ないし１３のいずれか１項に記載の画像読取装置であって、
前記画像補正手段の処理の実行の有無を選択する選択手段をさらに備えていること
を特徴とする画像読取装置。
【請求項１５】
請求項１ないし１４のいずれか１項に記載の画像読取装置を備えていることを特徴とする画像形成装置。
【請求項１６】
走査光学系により露光走査した原稿のアナログ画像データを、光電変換素子を介して取得し、このアナログ画像データにアナログ的な処理を施すアナログ信号処理回路部と、
各種タイミング信号を生成するタイミング信号生成回路と、
前記アナログ信号処理回路部によって処理されたアナログ画像データをディジタル画像データに変換するＡ／Ｄ変換回路部と、
前記Ａ／Ｄ変換回路部で変換されたディジタル画像データに対して所定の画像処理を行う画像処理手段と、
を有し、読み取った画像データを処理する画像処理方法であって、
ディジタル画像データが局所的に高いピークを持つデータか否かを判定する工程と、
ｓｉｎｃ関数（（ｓｉｎ  ｘ）／ｘ）による画像補正信号を生成する工程と、
生成したｓｉｎｃ関数により、ピークを持つと判定された箇所を含む一定のデータ領域に対して補正をかける工程と、
を備えていることを特徴とする画像処理方法。
【発明の詳細な説明】
【技術分野】
【０００１】
本発明は、原稿画像を読み取り、読み取ったディジタル画像データ中のゴーストを補正する機能を有する画像読取装置、この画像読取装置を備えた複写機、プリンタ、ファクシミリ、及びディジタル複合機などの画像形成装置に関する。
【背景技術】
【０００２】
原稿をディジタル画像データとして取り込む画像取り込み手段として、例えば画像読取装置が知られている。画像読取装置は、例えばリニアＣＣＤにより被写体からの反射光あるいは散乱光を光電変換することによってアナログ情報信号を得るもので、画素毎にサンプリングし、Ａ／Ｄ変換することによりディジタル画像データとして処理することが可能となる。ＣＣＤによって得られる原稿の線情報は、キャリッジの走査あるいは自動給紙手段によって原稿を搬送することによって面情報としてデータを得ることができる。このようにしてデータを得るとき、ゴーストと呼ばれる本来原稿に存在しない画像がデータ上に現れることがある。このゴーストの原因として、光源と原稿の間にあるガラスでの反射、スキャナユニット内からの散乱光、ＣＣＤ表面における光の多重反射等が考えられている。
【０００３】
そこで、このようなゴーストの発生に対処した技術として例えば特許文献１ないし３に記載された発明が公知である。このうち特許文献１（特開平５−６８１３８号公報）には、イメージスキャナの紙送り機構部の筺体の光軸部に凹部を設け、この凹部に紙送り方向と平行に溝を掘った反射板を取り付け、原稿照明用光源からの光が透明な基材の原稿を透過する透過光による影を、凹部に取り付けた反射板により乱反射させてイメージセンサ上には結像させないようにし、正規に原稿１上から反射された光のみをイメージセンサ上に結像させるようにし、ＯＨＰ等の透明な基材の原稿を使用した場合にも、ゴーストが発生することなく明瞭な読み取り結果が得られるようにしたイメージスキャナが記載されている。
【０００４】
また、引用文献２（特開２００２−１１１９７８号公報）には、反射原稿が載置される原稿台、または透過原稿が保持される原稿ホルダのいずれか一方を交換可能に支持する支持手段と、前記支持手段が一方の面側に配設されている箱形の本体と、前記反射原稿を照射可能に前記本体の内部に収容、または前記透過原稿を照射可能に前記原稿ホルダの反本体側に配設されている光源と、前記本体の内部に収容され、前記反射原稿または前記透過原稿からの光を集光する集光手段と、前記本体の内部に収容され、前記集光手段により集光された前記反射原稿または前記透過原稿からの光を電気信号に変換する撮像手段と、を備え、透過原稿読み取り時の原稿台の表面における光の反射によるゴーストの発生を防止する画像読取装置が記載されている。
【０００５】
さらに、引用文献３（特開２００４−１０４６５４号公報）には、原稿を照明するための照明手段と、原稿の搬送方向を横切るその長手方向に沿って千鳥状に配列された複数のイメージセンサと、照明手段によって照明された原稿の像を各イメージセンサ上に結像させるための結像手段とからなる画像読取装置において、結像手段と原稿面Ｘとの間には、イメージセンサ及び結像手段によって原稿面上の１つの主走査ラインを１つの直線上で読み取ることができるようにするとともに、原稿に対する読取角度を小さくする一対のミラーが設けられ、原稿平坦性のバラツキによる読取画像の劣化を低減できる低コストで高画質の画像得ることを可能とした画像読取装置が記載されている。
【発明の概要】
【発明が解決しようとする課題】
【０００６】
前述のようにゴーストの解消もしくは発生の防止のために前記特許文献１ないし３に記載された発明が提案されている。前記ゴーストは正規の原稿面以外からの散乱光が主な原因とされているが、発生要因は特定できないことが多い。そのため、スキャナユニット内の特定の部位のみに効果的な対策を施すことが難しく、前記特許文献１ないし３に記載されているような技術を使用したとしても、完全にゴーストの発生を抑えることはできない。
【０００７】
そこで、本発明が解決しようとする課題は、コストあるいはスペースが増加するデメリットを避けつつ、ゴーストを直接低減し、あるいは除去することができるようにすることにある。
【課題を解決するための手段】
【０００８】
前記課題を解決するため、第１の手段は、走査光学系により露光走査した原稿のアナログ画像データを、光電変換素子を介して取得し、このアナログ画像データにアナログ的な処理を施すアナログ信号処理回路部と、各種タイミング信号を生成するタイミング信号生成回路と、前記アナログ信号処理回路部によって処理されたアナログ画像データをディジタル画像データに変換するＡ／Ｄ変換回路部と、前記Ａ／Ｄ変換回路部で変換されたディジタル画像データに対して所定の画像処理を行う画像処理手段と、を有する画像読取装置であって、前記画像処理手段が、ディジタル画像データが局所的に高いピークを持つデータか否かを判定するピーク検出手段と、ｓｉｎｃ関数（（ｓｉｎ  ｘ）／ｘ）による画像補正信号を生成する信号生成手段と、前記信号生成手段によって生成したｓｉｎｃ関数により、ピークを持つと判定された箇所を含む一定のデータ領域に対して補正をかける画像補正手段と、を備えていることを特徴とする。
【０００９】
第２の手段は、第１の手段において、前記ピーク検出手段が、予め設定された領域の前記データの第１ピークと第２ピークのピーク値の差が予め設定された値以上の場合、局所的に高いピークを持つデータであると判定することを特徴とする。
【００１０】
第３の手段は、第１の手段において、前記ピーク検出手段は、予め設定された領域の前記データの平均値とその周辺のデータの平均値の差が予め設定された値以上の場合、局所的に高いピークを持つデータであると判定することを特徴とする。
【００１１】
第４の手段は、第１の手段において、前記信号生成手段は、一定の振幅、周期、位相を持つｓｉｎｃ関数を生成することを特徴とする。
【００１２】
第５の手段は、第４の手段において、前記振幅、周期、位相のうち少なくとも１つを任意に設定する設定手段を有し、前記信号生成手段は前記設定手段の設定に基づいてｓｉｎｃ関数を生成することを特徴とする。
【００１３】
第６の手段は、第１ないし第５のいずれかの手段において、前記信号生成手段は、ｓｉｎｃ関数を生成する際、任意の画素位置から生成を開始することを特徴とする。
【００１４】
第７の手段は、第１ないし第６のいずれかの手段において、前記画像補正手段は、前記ピーク検出手段によって検出した局所的なピークデータに対して前記ｓｉｎｃ関数による重み付け処理を行うことを特徴とする。
【００１５】
第８の手段は、第１ないし第６のいずれかの手段において、前記画像補正手段は、前記ピーク検出手段によって検出した局所的なピークデータに対して前記ｓｉｎｃ関数との差分処理を行うことを特徴とする。
【００１６】
第９の手段は、第１ないし第６のいずれかの手段において、前記画像補正手段は、前記ピーク検出手段によって検出した局所的なピークデータに対して前記ｓｉｎｃ関数との平均化処理を行うことを特徴とする。
【００１７】
第１０の手段は、第７ないし第９のいずれかの手段において、前記画像補正手段は、前記ピーク検出手段によって検出した局所的なピークデータの中心位置に対してｓｉｎｃ関数のピークを割り当てて処理することを特徴とする。
【００１８】
第１１の手段は、第７ないし第９のいずれかの手段において、前記画像補正手段は、前記ピーク検出手段によって検出した局所的なピークデータの最大値の位置に対してｓｉｎｃ関数のピークを割り当てて処理することを特徴とする。
【００１９】
第１２の手段は、第１ないし第１１のいずれかの手段において、前記画像処理手段は、前記信号生成手段において生成するｓｉｎｃ関数の振幅、周期、位相情報を保持する係数記憶手段をさらに備えていることを特徴とする。
【００２０】
第１３の手段は、第１ないし第１２のいずれかの手段において、前記画像処理手段は、前記信号生成手段において生成するｓｉｎｃ関数の振幅、周期、位相を算出する係数生成手段をさらに備えていることを特徴とする。
【００２１】
第１４の手段は、第１ないし第１３のいずれかの手段において、前記画像補正手段の処理の実行の是非を選択する選択手段をさらに備えていることを特徴とする。
【００２２】
第１５の手段は、第１ないし第１４のいずれかの手段に係る画像読取装置を画像形成装置が備えていることを特徴とする。
【００２３】
第１６の手段は、走査光学系により露光走査した原稿のアナログ画像データを、光電変換素子を介して取得し、このアナログ画像データにアナログ的な処理を施すアナログ信号処理回路部と、各種タイミング信号を生成するタイミング信号生成回路と、前記アナログ信号処理回路部によって処理されたアナログ画像データをディジタル画像データに変換するＡ／Ｄ変換回路部と、前記Ａ／Ｄ変換回路部で変換されたディジタル画像データに対して所定の画像処理を行う画像処理手段と、を有し、読み取った画像データを処理する画像処理方法であって、ディジタル画像データが局所的に高いピークを持つデータか否かを判定する工程と、ｓｉｎｃ関数（（ｓｉｎ  ｘ）／ｘ）による画像補正信号を生成する工程と、生成したｓｉｎｃ関数により、ピークを持つと判定された箇所を含む一定のデータ領域に対して補正をかける工程と、を備えていることを特徴とする。
【００２４】
なお、後述の実施形態では、走査光学系は光源２、第１ミラー３を搭載した第１キャリッジ６と、第２及び第３ミラー４，５を搭載した第２キャリッジ７と、レンズユニット８に、光電変換素子はＣＣＤ９に、アナログ信号回路部は符号２０に、タイミング信号生成回路はタイミングクロック生成部１８に、Ａ／Ｄ変換回路部は符号２１に、画像処理手段はゴースト補正処理回路ＧＡＣに、ピーク検出手段はピーク検出部２４に、信号生成手段は信号生成部２５に、画像補正手段は画像補正部２６に、係数記憶手段は係数記憶部２７に、係数生成手段は係数生成部２８に、画像読取装置は符号ＳＣに、画像形成装置は符号１００に、それぞれ対応する。
【発明の効果】
【００２５】
本発明によれば、局所的に高いピークを持つディジタル画像データを含む所定のデータ領域に対してｓｉｎｃ関数により補正をかけるので、画像データ内に局所的に発生したゴーストを含む画像データに対してデータ処理だけで補正処理を行い、ゴーストを直接低減あるいは除去することができる。その際、データ処理だけでゴーストを直接低減あるいは除去することができるので、ハード構成の追加、付加、及びスペースの増加などを招くことがなく、低コストでゴーストの補正が可能になる。
【図面の簡単な説明】
【００２６】
【図１】本発明の実施形態に係る画像読取装置の概略構成を示す図である。
【図２】図１に示した画像読取装置の電気的構成（処理回路）を示すブロック図である。
【図３】本実施形態におけるゴースト補正処理回路の一例を示すブロック図である。
【図４】画像データとｓｉｎｃ関数のピーク位置を合わせ、減算処理を行って補正した例を示す図である。
【図５】画像データとｓｉｎｃ関数のピーク位置を合わせて画像データと関数の平均化処理を行った例を示す図である。
【図６】図３のゴースト補正処理回路に対してｓｉｎｃ関数の各種係数を記憶する係数記憶部を備えた例を示す図である。
【図７】振幅、周期、位相を自動で算出する係数生成部を備え、これを図２の画像読取装置のゴースト補正処理回路へ適用したときの構成の一例を示すブロック図である。
【図８】本実施形態に係る画像読取装置を備えた画像形成装置の概略構成を示す図である。
【発明を実施するための形態】
【００２７】
以下、図面を参照し、本発明の実施形態について説明する。
【００２８】
図１は本発明の実施形態に係る画像読取装置の概略構成を示す図である。画像読取装置はディジタル複写機におけるスキャナ装置のように、原稿画像をＣＣＤで読み取り、画像信号をディジタル信号に変換して処理し、画像情報として使用できるようにするものである。
【００２９】
図１において、画像読取装置ＳＣは、原稿を載置するコンタクトガラス１、原稿露光用の光源２及び第１反射ミラー３を搭載した第１キャリッジ６、第２反射ミラー４及び第３反射ミラー５を搭載した第２キャリッジ７、ＣＣＤリニアイメージセンサ９（以下、単にＣＣＤと称す）、ＣＣＤ９に読み取り画像を結像するためのレンズユニット８、ＣＣＤ９で読み取った画像を処理しディジタル信号として出力する画像処理回路を搭載した回路基板１０、並びに読み取り光学系等による各種の歪みを補正するための白基準板１３から構成される。
【００３０】
コンタクトガラス１上に原稿を載置して読み取る場合には、第１キャリッジ３及び第２キャリッジ７を図示しないステッピングモータによって副走査方向Ａに移動させて、光走査を行う。また、シートスルーによって原稿を読み取る場合には、第１キャリッジ６及び第２キャリッジ７がシートスルー読み取り用スリット１５の下へ移動し、その後、原稿自動送り装置１４に設置された原稿１２をローラ１６によって矢印Ｂ方向へ搬送することによって、第１及び第２キャリッジ６，７を固定した状態でシートスルー読み取り用スリット１５の位置で読み取る。
【００３１】
図２は、図１に示した画像読取装置ＳＣの電気的構成（処理回路）を示すブロック図である。図２において、ＣＣＤ９で光電変換されたアナログ画像データは、アナログ処理回路部２０へ出力される。アナログ処理回路部２０では、アナログ画像データに対してサンプルホールド処理、黒レベル補正などの各種画像処理を施したのち、Ａ／Ｄ変換回路部２１へ出力する。Ａ／Ｄ変換回路部２１では、入力されたアナログ画像データをディジタル画像データに変換し、さらにＬＶＤＳインターフェース２２を介して後段（画像処理回路部等）へ出力する。画像読取装置ＳＣのＣＣＤ９、アナログ処理回路部２０、Ａ／Ｄ変換回路部２１、図示しないキャリッジ駆動用のステッピングモータ及び光源２としてのキセノンランプの各種タイミングクロックは、タイミングクロック生成回路部２３において生成し、それぞれに供給される。タイミングクロック生成回路部２３は発振器１７からのクロックに基づいて前記各種のタイミングクロックを生成する。
【００３２】
このような原稿読み取り光学系において、原稿を読み取る際、光源２から発せられ、原稿面で反射した光はＣＣＤ９のフォトダイオードに到達するまでに、コンタクトガラス１とＣＣＤ９表面において、ガラスを通過する。このとき、空気との境界面では屈折率差が生じるため、光の屈折及び反射が起こる。反射によって原稿反射光の光路が変わると、本来とは異なる位置のフォトダイオードが前記反射光を受光することになる。本来とは異なる位置のフォトダイオードでは、受光した反射光を画像データとして認識し、画像処理回路で処理されてしまう。この現象はゴーストと呼ばれ、本来存在しないはずの画像が生じてしまうことになる。
【００３３】
したがって、このようにゴーストが生じている画像について、本実施形態では、画像処理を施し、ゴーストを低減し、あるいはゴーストを除去するようにした。図３は本実施形態におけるゴースト補正処理回路の一例を示すブロック図である。
【００３４】
ゴースト補正処理回路ＧＡＣは、ピーク検出部２４、信号生成部２５、及び画像補正部２６からなる。ゴースト補正処理回路ＧＡＣでは、原稿読み取りデータである第１のディジタル画像データ（図ではディジタル画像データ１と記す）１に対して、ピーク検出部２４において画像内のピークの有無及び位置を検出し、その情報を信号生成部２５へ通知する。
【００３５】
ピーク検出部２４は、ある領域のデータの第１ピークと第２ピークの差が特定の値（予め設定した値）以上の場合に、局所的に高いピークを持つデータであると判定し、あるいは、ある領域のデータの平均値とその周辺のデータの平均値の差が特定の値（予め設定した値）以上の場合に局所的に高いピークを持つデータであると判定する。
【００３６】
信号生成部２５では、前記ピークの有無及び位置を示す情報を基にゴースト補正用信号であるｓｉｎｃ関数を生成し、後段の画像補正部２６へ送信する。その際、信号生成部２５では、一定の振幅α、周期β、位相γを持つｓｉｎｃ関数を生成する。そのｓｉｎｃ関数の生成においては、振幅α、周期β、位相γのうち少なくとも１つを任意に設定可能である。また、ｓｉｎｃ関数を生成する場合、任意の画素位置から生成を開始することができる。
【００３７】
第１のディジタル画像データがゴーストを含んでいる場合、画像補正部２６において画像補正信号ＳＧ１を用いた処理が行われ、ゴーストの除去あるいはゴーストが低減された第２のディジタル画像データ（図ではディジタル画像データ２と記す）が生成される。画像補正部２６では、例えば画像データと画像補正信号間での減算、平均処理等が行われ、第１のディジタル画像データに対して直接処理を行う。
【００３８】
図４及び図５は各種処理の処理内容の例を示す図である。  
図４は、画像データとｓｉｎｃ関数のピーク位置を合わせ、減算処理を行った例である。ある軸に対して本来左右対称なｓｉｎｃ関数信号を、図の例では、ゴーストが発生している片側のみに対して発生させ、減算処理を行っている。図４の例では、ｓｉｎｃ関数の幅あるいは振幅、適用位置が適切ではない可能性があるが、ゴーストは低減していることが分かる。これにより、この処理によって画像として目立ちにくくなることが予想される。処理は単純な減算であるため、実時間上は問題にならない処理時間である。
【００３９】
図５は、画像データとｓｉｎｃ関数のピーク位置を合わせて画像データと関数の平均化処理を行った例であり、処理前後のデータを比較し、それらの差が２以下の画素位置のみ処理を実行している。この例でも、ゴーストが発生している片側のみに対して関数を発生させている。図４の例と比較し、さらにゴースト重畳データを見ると、ゴーストの低減効果が現れていることが分かる。関数の形状や位置を的確に決定することで、さらに大きな効果が現れる。
【００４０】
なお、図４及び図５では、ピーク検出部２４によって検出した局所的なピークデータに対して信号生成部２５において生成したｓｉｎｃ関数と画像データで差分処理を行い、あるいは平均化処理を行っているが、ｓｉｎｃ関数に重み付け処理を行うこともできる。重み付け処理の場合には、画像データにｓｉｎｃ関数を掛け合わせるときに、任意の係数を乗算するというように処理される。
【００４１】
また、あるいは、ピーク検出部２４によって検出した局所的なピークデータの中心位置に対してｓｉｎｃ関数のピークを割り当てて（対応させて）処理することも、ピーク検出部２４によって検出した局所的なピークデータの最大値の位置に対してｓｉｎｃ関数のピークを割り当てて処理することも可能である。なお、ｓｉｎｃ関数を生成する場合には、ユーザが指定する任意の位置から生成処理を開始する。前記任意の位置は画像読取装置ＳＣの図示しない操作部、あるいは後述の画像形成装置１００の図示しない操作部から入力される。
【００４２】
図６は、図３のゴースト補正処理回路ＧＡＣに対してｓｉｎｃ関数の各種係数を記憶する係数記憶部３０を備えたゴースト補正処理回路ＧＡＣの例である。計数記憶部３０は例えばＲＡＭによって構成される。ｓｉｎｃ関数は、
ｓｉｎｃ  ｘ  ＝（ｓｉｎ  ｘ）／ｘ
で表され、この関数を
αｓｉｎｃ（βｘ＋γ）＝α（ｓｉｎβｘ＋γ）／（βｘ＋γ）
と変形することにより、
α：振幅（補正信号の大きさ）
β：周期（補正信号の幅）
γ：位相（補正信号の位置）
が調整可能となる。ピーク画像データに対して発生したゴーストに応じて適切なα、β、γを設定することにより、より効果的なゴースト除去が可能となる。このため、ゴーストの発生位置及びレベルが予測される場合には、これらの係数を予め設定しておくことが有効となる。また、状況が変化した場合には各係数を変更することも可能である。
【００４３】
なお、前記画像補正部２６で実行する補正処理については、画像読取装置ＳＣの図示しない操作部、あるいは画像形成装置１００の図示しない操作部から選択画面を表示させ、この選択画面から実行するか否かを選択することもできる。
【００４４】
図７は前記振幅α、周期β、位相γを自動で算出する係数生成部３４を備え、これを図２の画像読取装置ＳＣのゴースト補正処理回路へ適用したときの構成の一例を示すブロック図である。図７において、図２における画像読取装置ＳＣの処理回路ＳＣ１に対し、ゴースト補正処理回路ＧＡＣが接続されている。ゴースト処理回路ＧＡＣは、図３におけるゴースト補正処理回路ＧＡＣの係数記憶部２７に代えて係数生成部２８とし、画像読取装置ＳＣの処理回路ＳＣ１のＬＶＤＳ２２にゴースト補正処理回路ＧＡＣの前段にＬＶＤＳ２３を設けて処理回路ＳＣ１から原稿を読み取って得られたディジタル画像データ１を受け取り、この原稿を読み取った第１のディジタル画像データに対し、画像信号から補正信号の大きさ、位置等を決定する。すなわち、図３における信号生成部２５は、係数記憶部２７の係数を参照していたが、図７における信号生成部２５は係数生成部２８で生成した画像補正信号生成パラメータα、β、γを参照し、これらの画像補正信号生成パラメータα、β、γを参照して画像補正信号ＳＧ１を生成する。画像補正部２６では、ディジタル画像データ１を画像補正信号ＳＧ１に基づいて補正し、補正されたディジタル画像データ２を得る。これにより、常に最適なゴーストの補正が可能となる。
【００４５】
図７に示した係数生成部２８で画像補正信号生成パラメータとして振幅α、周期β、位相γを生成する場合、これらのパラメータは予め工場出荷時に設定しておくこともできる。また、工場出荷時に設定したパラメータは使用の要求に応じてユーザあるいはサービスマンによって設定を変更することも可能である。その場合、例えば操作パネルから前記設定変更の画面を呼び出して振幅α、周期β、位相γのうちの１つのパラメータを設定すれば、他のパラメータは自動的に設定される。
【００４６】
このような画像読取装置ＳＣは単独で使用されるだけでなく、例えば画像形成装置に適用することも可能である。一般的な画像形成装置は以下の通りである。
【００４７】
図８は本実施形態に係る画像読取装置を備えた画像形成装置の概略構成を示す図である。この画像形成装置１００は、複写機能とこれ以外の機能、例えばプリンタ機能、ファクシミリ機能とを有するいわゆる複合機能を有する画像形成装置であり、操作部のアプリケーション切り替えキーにより複写機能、プリンタ機能、ファクシミリ機能を順次に切り替えて選択することが可能である。複写機能の選択時には複写モードとなり、プリンタ機能の選択時にはプリントモードとなり、ファクシミリモードの選択時にはファクシミリモードとなる。
【００４８】
まず、複写モードでは、次のように動作する。自動原稿送り装置（以下ＡＤＦという）１０１においては、原稿台１０２に原稿の画像面を上にして置かれた原稿束は、操作部上のスタートキーが押下されると、一番下の原稿が給送ローラ１０３、給送ベルト１０４によってコンタクトガラス１０５上の所定の位置に給送される。ＡＤＦ１０１は一枚の原稿の給送完了毎に原稿枚数をカウントアップするカウント機能を有する。コンタクトガラス１０５上の原稿は、読み取り手段としての画像読取装置１０６によって画像情報が読み取られた後に、給送ベルト１０４、排送ローラ１０７によって排紙台１０８上に排出される。
【００４９】
原稿セット検知器１０９によって原稿台１０２上に次の原稿があることが検知された場合には、同様に原稿台１０２上の一番下の原稿が給紙ローラ１０３、給送ベルト１０４によってコンタクトガラス１０５上の所定の位置に給送される。このコンタクトガラス１０５上の原稿は、画像読取装置１０６によって画像情報が読み取られた後に、給送ベルト１０４、排送ローラ１０７によって排紙台１０８上に排出される。ここに、給送ローラ１０３、給送ベルト１０４及び排送ローラ１０７は図示しない搬送モータによって駆動される。
【００５０】
画像読取装置１０６は光源１２８及び第１ミラー１２９を搭載し、副走査方向に移動走査する第１キャリッジと、第２及び第３ミラー１３０，１３１を搭載し、前記第１キャリッジの１／２の速度で副走査方向に移動走査する第２キャリッジと、第３ミラー１３１から導入された読み取り光を結像するレンズユニット１３２と、このレンズユニット１３２によって結像面に導かれた読み取り光を光電変換する光電変換素子としてのＣＣＤ１３３とからなる。なお、この画像読取装置１０６が図１に示した画像読取装置ＳＣに対応する。
【００５１】
給紙手段としての第１給紙装置１１０、第２給紙装置１１１、第３給紙装置１１２は、いずれかの給紙装置が選択されたときに各々第１トレイ１１３、第２トレイ１１４、第３トレイ１１５に積載された転写材としてのシートをピックアップして給送する。給送されたシートは縦搬送ユニット１１６によって像担持体としての感光体ドラム１１７に当接する位置まで搬送される。感光体ドラム１１７は、図示しないメインモータにより一定速度で回転駆動される。
【００５２】
画像読取装置１０６によって原稿から読み込まれた画像データは図示しない画像処理手段を介して書き込み手段としての書き込みユニット１１８によって光情報に変換される。書き込みユニット１１８は変換された光情報を、ＬＤを発光源とする光偏向装置１３４と等角速度偏向から等速度偏向へと変換して主走査方向に光走査するｆθレンズ１３５と、図示しない帯電器により一様に帯電された感光体ドラム１１７表面に光ビームを走査するための折り返しミラー１３６とからなり、感光体ドラム１１７表面を光走査して光書き込みを実行し、感光体ドラム１１７表面に静電潜像が形成される。この感光体ドラム１１７上の静電潜像は現像装置１１９により現像されてトナー像となる。
【００５３】
搬送ベルト１２０は、シート搬送手段及び転写手段を兼ねていて電源から転写バイアスが印加され、縦搬送ユニット１１６からのシートを感光体ドラム１１７と等速で搬送しながら感光体ドラム１１７上のトナー像をシートに転写させる。このシート表面のトナー像は、定着装置１２１により定着され、排紙ユニット１２２により排紙トレイ１２３に排出される。感光体ドラム１１７はトナー像転写後に図示しないクリーニング装置によりクリーニングされる。ここに、感光体ドラム１１７、帯電器、書き込みユニット１１８、現像装置１１９、搬送ベルト（転写手段）１２０は画像データにより画像をシート上に形成する画像形成手段を構成している。
【００５４】
排紙ユニット１２２には両面給紙トレイ１２５にシートを搬送するための分岐爪が設けられ、両面に画像を形成する場合、あるいは反転して排紙させる場合には搬送路１２４から両面給紙トレイ１２５にシートは導かれる。そして、反転して排紙させる場合には反転排紙搬送路１２７に導かれて排紙トレイ１２３に排紙され、両面に画像形成する場合には、両面搬送路１２６から縦搬送路１１６の搬送ローラ１５１にシートを導き、レジストローラ対１４９，１５０でタイミングをとって感光体ドラム１１７側に搬送し、シート裏面に画像を形成する。
【００５５】
プリントモードでは、前記画像読取装置１０６からの画像データの代わりに外部からの画像データが書き込みユニット１１８に入力され、前記画像形成手段によりシート上に画像が形成される。さらに、ファクシミリモードでは、前記画像読取装置１０６からの画像データが図示しないファクシミリ送受信部により相手に送信され、あるいは、相手からの画像データがファクシミリ送受信部で受信されて前記画像読取装置１０６からの画像データの代わりに書き込みユニット１１８に入力されることにより、前記画像形成手段によりシート上に画像が形成される。
【００５６】
以上のように、本実施形態によれば、以下のような効果を奏する。  
１）画像データ内に発生したゴーストを含む画像データに対して画像補正部２６におけるデータ処理だけで補正処理を行い、ゴーストを直接低減あるいは除去することができる。  
２）データ処理だけでゴーストを直接低減あるいは除去することができるので、ハード構成の追加、付加、スペースの増加などのハード上の不利を招くことがない。  
３）２つの異なる領域のデータのそれぞれの最大値の差を、あるいは、平均値の差を判定してピーク検出を行うので、ディジタル画像データ内における局所的なピークの有無及び位置を簡易な処理で、かつ短時間に検出することができる。
【００５７】
４）一定の振幅、周期、位相を持つｓｉｎｃ関数を生成するので、発生するゴーストの位置や程度が分かっている場合には、補正信号の算出を短時間で生成することができる。  
５）ｓｉｎｃ関数を生成する際、振幅、周期、位相のうち少なくとも１つを任意に設定できるので、状況に応じた最適な補正信号の生成が可能になる。  
６）局所的なピークデータに対して信号生成部で生成したｓｉｎｃ関数による重み付け処理、信号生成部で生成したｓｉｎｃ関数との差分処理、信号生成部で生成したｓｉｎｃ関数との平均化処理のいずれかを画像データの状況に応じて適切に割り当てることにより、ゴーストの低減及び除去の精度を高めることができる。  
７）局所的なピークデータの中心位置に対して、ｓｉｎｃ関数のピークを割り当てて処理を行い、あるいは局所的なピークデータの最大値の位置に対して、ｓｉｎｃ関数のピークを割り当てて処理を行うことにより、ゴーストの低減及び除去の精度を高めることができる。  
８）信号生成部２５において生成するｓｉｎｃ関数の振幅、周期、位相情報を保持する係数記憶部２７を備えているので、発生するゴーストの位置や程度が分かっている場合、係数記憶部２７から振幅α、周期β、位相γ情報を読み出して補正信号の算出を短時間で行うこと、及びこれらの変更を容易に行うことができる。  
９）係数記憶部２７の内容を書き換えるあるいは入れ替えることにより、あらゆるゴーストの除去、低減が可能となる。  
１０）係数生成部２８でｓｉｎｃ関数の振幅α、周期β、位相γを算出するので、信号生成部２５では発生したゴーストに応じて最適な補正信号を生成し、高精度なゴーストの補正処理が可能となる。  
１１）係数生成部２８で算出されたｓｉｎｃ関数の振幅α、周期β、位相γを記憶することにより、次回以降の係数生成時間を省くことが可能となり、高精度なゴーストの補正処理を短時間で行うことができる。  
１２）画像補正部２６における画像補正の是非を設定するＯＮ／ＯＦＦ手段を備えているので、状況に応じた処理（画質優先／スピード優先等）を選択可能となる。  
などの効果を奏する。
【００５８】
なお、本発明は本実施形態に限定されるものではなく、特許請求の範囲に記載された技術思想に含まれる技術的事項の全てが対象となる。
【産業上の利用可能性】
【００５９】
本発明は、原稿画像を読み取る画像読取装置に適用され、画像読取装置を使用する複写機、ファクシミリなどの事務機器、さらにはネットワークスキャナなどの情報処理機器に利用することが可能である。
【符号の説明】
【００６０】
２  光源
３  第１ミラー
４  第２ミラー
５  第３ミラー
６  第１キャリッジ
７  第２キャリッジ
８  レンズユニット
９  ＣＣＤ
１８  タイミングクロック生成部
２０  アナログ信号回路部
２１  Ａ／Ｄ変換回路部
２４  ピーク検出部
２５  信号生成部
２６  画像補正部
２７  係数記憶部
２８  係数生成部
１００  画像形成装置
ＧＡＣ  ゴースト補正処理回路
ＳＣ  画像読取装置
【先行技術文献】
【特許文献】
【００６１】
【特許文献１】特開平５−６８１３８号公報
【特許文献２】特開２００２−１１１９７８号公報
【特許文献３】特開２００４−１０４６５４号公報
【図１】
2010178187.tif 000003
【図２】
2010178187.tif 000004
【図３】
2010178187.tif 000005
【図４】
2010178187.tif 000006
【図５】
2010178187.tif 000007
【図６】
2010178187.tif 000008
【図７】
2010178187.tif 000009
【図８】
2010178187.tif 000010